(57)【要約】  ベビーカー（１０）の後部装着用装置であって、ベビーカー（１０）の対応する側の立脚部（１１Ｌ、１１Ｒ）にそれぞれ固定させるための固定手段（２２Ｌ、２２Ｒ）をその内側端部に有しており、その外側端部に車輪（２７Ｌ、２７Ｒ）を有した２本のアーム体（２０Ｌ）、（２０Ｒ）を含んでおり、本装置は、それぞれの側で２本のアーム体（２０Ｌ、２０Ｒ）の両端部間に着脱式に係合するように構成されている支持部材（３１）をさらに含んでいる。１実施例（図１から図４）では、支持部材（３１）は、バッグ（３０）を支持している。別実施例（図５と図６）では、支持部材（３１）は、人が立脚する台車として作用する。ベビーカー（１０）を折畳むためには、装置の２本のアーム体（２０Ｌ、２０Ｒ）を重ね合わせるために支持部材（３１）を取り外すだけでよい。【選択図】図３
2010510112.tif 000002
【特許請求の範囲】
【請求項１】
ベビーカーの後部装着用装置であって、
ベビーカーの対応する側の立脚部にそれぞれ固定させるための固定手段をその内側端部に有しており、
その外側端部に車輪を有した２本のアーム体を含んでおり、
本装置は、それぞれの側で前記２本のアーム体の両端部間に着脱式に係合するように構成されている支持部材をさらに含んでいることを特徴とする装着用装置。
【請求項２】
支持部材は、平坦形状であり、
利用時には、アーム体は、支持部材を水平状態に保持できるように構成されていることを特徴とする請求項１記載の装置。
【請求項３】
支持部材をアーム体に固定させる係留手段が提供されていることを特徴とする請求項１または２記載の装置。
【請求項４】
車輪は、キャスタ形態に構成され、
支持部材は、前記車輪キャスタの回転軸に対して略垂直方向に延びる平面に設置されていることを特徴とする請求項１から３のいずれかに記載の装置。
【請求項５】
支持部材は、アーム体にそれぞれ提供された支持構造部に載置できるように構成されていることを特徴とする請求項１から４のいずれかに記載の装置。
【請求項６】
各支持構造部は、支持部材のそれぞれの側部で補完形態に提供されている構造部を受領する形態の長形スロット部または長形溝部を含んでいることを特徴とする請求項５記載の装置。
【請求項７】
アーム体は、ベビーカーの対応する側の立脚部に固定するための固定構造部をその内側端部に含んでいることを特徴とする請求項１から６のいずれかに記載の装置。
【請求項８】
固定構造部は、アーム体の縦軸に対して垂直方向に延びる回転軸の周囲で回転するように前記アーム体に対して旋回式であることを特徴とする請求項７記載の装置。
【請求項９】
車輪は、アーム体のそれぞれの外側端部に取り付けられており、
前記外側端部は、前記アーム体の縦軸に対して垂直方向に延びる軸の周囲で回転するように構成されていることを特徴とする請求項１から８のいずれかに記載の装置。
【請求項１０】
車輪は、アーム体のそれぞれの外側端部に取り付けられており、
前記外側端部は、前記アーム体の縦軸に対して垂直方向に延び、立脚姿勢で係合する構造部の回転軸に対して平行である軸の周囲で回転するように構成されていることを特徴とする請求項７記載の装置。
【請求項１１】
アーム体のそれら端部を回転させないように固定する手段が提供されていることを特徴とする請求項９または１０記載の装置。
【請求項１２】
支持部材は、アーム体の外側端部と着脱式に係合するように構成されていることを特徴とする請求項１から１１のいずれかに記載の装置。
【請求項１３】
ベビーカーの立脚部に対するアーム体の傾斜角を調整するため、それぞれの前記アーム体は、該アーム体の上方端部から離れた点でベビーカーの対応する前記立脚部に前記アーム体を接続させるように外側端部から延び出る部材を含んでいることを特徴とする請求項１から１２のいずれかに記載の装置。
【請求項１４】
部材は、ストラップまたは他の柔軟な部材を含んでいることを特徴とする請求項１３記載の装置。
【請求項１５】
アーム体は、縦方向に延伸可能であることを特徴とする請求項１から１４のいずれかに記載の装置。
【請求項１６】
支持部材は、荷物の運搬のためにバッグまたは収容器に固定されるか、あるいは固定される構造を有していることを特徴とする請求項１から１５のいずれかに記載の装置。
【請求項１７】
支持部材は、バッグまたは収容器の基部に固定されていることを特徴とする請求項１６記載の装置。
【請求項１８】
支持部材は、バッグの基部を形成していることを特徴とする請求項１６記載の装置。
【請求項１９】
バッグの上方端部にベビーカーの立脚部を接続するための手段が提供されていることを特徴とする請求項１６から１８のいずれかに記載の装置。
【発明の詳細な説明】
【技術分野】
【０００１】
本発明は、一般的にベビーカーに関し、特にベビーカーの背後で商品または小児を運搬できるようにするために、ベビーカーの後部に装着できる装置に関する。
【背景技術】
【０００２】
ベビーカーは、乳児の運搬に広く利用されている。典型的なベビーカーは、下部に車輪が取り付けられた前方立脚部および後方立脚部を有した枠体によって支持された１台または２台の座部を含んでいる。
【０００３】
別な小児を立脚姿勢で運搬するために台車装置を従来型のベビーカーの後部に装着することは知られている。その一例は、特許文献１に開示されている。
【０００４】
ほとんどのベビーカーの枠体は、折畳み式であり、前後の立脚部を１平面状に折畳む形式や、左右および前後の立脚部を２平面状に折畳む形式のものが存在する。
【先行技術文献】
【特許文献】
【０００５】
【特許文献１】ＥＰ１５５０５９６
【発明の概要】
【発明が解決しようとする課題】
【０００６】
特許文献１で開示されているタイプの台車装置の弱点は、台車が左右の立脚部の折り畳みを妨害することである。よってそのような台車装置が装着されているベビーカーを折畳むことは困難であろう。
【課題を解決するための手段】
【０００７】
このような従来型の弱点を克服したベビーカー後部装着用の装置が発明された。
【０００８】
本発明によれば改良されたベビーカーの後部装着用装置が提供される。この装置は、ベビーカーの対応する側の立脚部にそれぞれ固定させるための固定手段をその内側端部に有しており、その外側端部に車輪を有した２本のアーム体を含んでいる。この装置は、それぞれの側でそれら２本のアーム体の両端部間に着脱式に係合するように構成されている支持部材をさらに含む。
【０００９】
利用に際しては、ベビーカーの背後で運搬される別な小児はその支持部材上に立脚姿勢で乗るか、着座姿勢で乗る。あるいはその支持部材は、荷物あるいは他の物体の運搬に利用することもできる。
【００１０】
ベビーカーを折畳むためには、装置の２本のアーム体を重ね合わせるために支持部材を取り外すだけでよい。
【００１１】
好適には、支持部材は、平坦形状であり、利用時にはアーム体は、支持部材を水平状態に保持できるように構成されている。
【００１２】
好適には、支持部材をアーム体に固定させる係留手段が提供される。
【００１３】
好適には、車輪は、キャスタ形態に構成され、支持部材は、車輪キャスタの回転軸に対して略垂直方向に延びる平面に設置される。
【００１４】
好適には、支持部材は、アーム体にそれぞれ提供された支持構造部に載置できるように構成される。
【００１５】
好適には、各支持構造部は、支持部材のそれぞれの側部で補完形態に提供されている構造部を受領する形態の長形スロット部または長形溝部を含む。
【００１６】
好適には、アーム体は、ベビーカーの対応する側の立脚部に固定するための固定構造部をその内側端部に含んでいる。
【００１７】
好適には、それら固定構造部は、アーム体の縦軸に対して垂直方向に延びる回転軸の周囲で回転するようにアーム体に対して旋回式である。
【００１８】
好適には、車輪は、アーム体のそれぞれの外側端部に取り付けられている。それら外側端部は、アーム体の縦軸に対して垂直方向に延び、好適には、立脚姿勢で係合する構造部の回転軸に対して平行である軸の周囲で回転するように構成される。
【００１９】
好適には、アーム体のそれら端部を回転させないように固定する手段が提供される。
【００２０】
好適には、支持部材は、アーム体の外側端部と着脱式に係合するように構成される。
【００２１】
好適には、ベビーカーの立脚部に対するアーム体の傾斜角を調整するため、それぞれのアーム体は、アーム体の上方（内側）端部から離れた点でベビーカーの対応する立脚部にアーム体を接続させるように外側端部から延び出る部材を含む。
【００２２】
好適には、その部材は、ストラップまたは他の柔軟な部材を含む。
【００２３】
好適には、アーム体は、縦方向に延伸可能である。
【００２４】
好適には、支持部材は、荷物の運搬のためにバッグまたは収容器に固定されるか、あるいは固定される構造を有している。
【００２５】
好適には、支持部材は、バッグまたは収容器の基部に固定されており、その基部を形成することができる。
【００２６】
好適には、バッグの上方端部にベビーカーの立脚部を接続するための手段が提供される。
【００２７】
あるいは支持部材は、小児が着座するか立脚する座部または台車に固定されるか、固定される構造を有することができる。
【００２８】
添付図面を利用して本発明の実施例を解説するが、それら実施例は本発明を限定するものではない。
【図面の簡単な説明】
【００２９】
【図１】図１は、ベビーカーに装着された状態にある本発明の１実施例によるベビーカー装着装置の右側の背面図である。
【図２】図２は、図１で示す装置の右側面図である。
【図３】図３は、図１で示す装置の右側斜視図である。
【図４】図４は、図１で示す装置の右側下方部斜視図である。
【図５】図５は、小児を立脚姿勢で運搬するためにベビーカーに装着された状態にある本発明の別実施例によるベビーカー装着装置の斜視図である。
【図６】図６は、荷物を運搬するためにベビーカーに装着された状態にある図５で示すベビーカー装着装置の斜視図である。
【発明を実施するための形態】
【００３０】
【実施例１】
【００３１】
図面には、従来型のベビーカー１０の背部に装着される装置４０が図示されている。詳細は、後述するが、装置４０は、左アーム体２０Ｌと右アーム体２０Ｒを含む。これらアーム体は、左右対称構造であり、ベビーカー１０の対応する立脚部１１Ｌと１１Ｒに接続される構造を有している。ベビーカー１０と装置４０の左右対称位置にある部材には、同一番号が付されているが、左を表すＬと右を表すＲとがさらに付されている。以下の説明は、主として右側の部材の説明であるが、左側の部材も同じ作用を提供する。
【００３２】
ベビーカー１０の左立脚部１１Ｌ右立脚部１１Ｒには、それぞれ車輪（例えば１２Ｒ）がその下端部に提供されている。アーム体２０Ｒは、固定具２２Ｒによってベビーカー１０の立脚部１１Ｒにその内側端部にて固定される。固定具２２Ｒは、上方に傾斜した姿勢であるその収納姿勢から図示する利用姿勢の位置にまで回転軸Ｒ１の周囲でアーム体を旋回させる。アーム体２０Ｒの外側端部には車輪２７Ｒが提供されている。この車輪は、垂直回転軸Ｒ２の周囲で回転するキャスタ構造に構成されている。
【００３３】
アーム体２０Ｒは、所望する延長位置で固定可能な相対伸縮形態である内側端部２３Ｒと外側端部２４Ｒを有した長形中央部を含んでいる。この中央部の外側端部２４Ｒは、湾曲部２５Ｒにボルト２６Ｒによって旋回式に接続されている。湾曲部は、下方に９０°で湾曲しており、車輪２７Ｒにその下端にて接続されている。アーム体２０Ｒの長形中央部に対する湾曲部２５Ｒの姿勢は、回転軸Ｒ１と平行な水平回転軸Ｒ３の周囲での湾曲部２５Ｒの回転によって調整可能である。ボルト２６Ｒは、所望する角度で湾曲部２５Ｒを固定すべく締め付けが可能である。
【００３４】
アーム体２０Ｒの湾曲部２５Ｒには、他方のアーム体２０Ｌの対応する内面と対面するその内面に溝形態構造部２８Ｒが提供されている。この溝形態構造部２８Ｒは、ベビーカー１０の後方に延びる上向溝４１Ｒを含む。この上向溝４１Ｒの傾斜は、回転軸Ｒ３の周囲のアーム体湾曲部２５Ｒの回転によって水平にセットされる。係留手段２９Ｒは、溝形態構造部２８Ｒの後端部に回転式に取り付けられている。
【００３５】
アーム体２０Ｌと２０Ｒとの間には、長方形基部を有するバッグ３０が提供されている。バッグ３０の基部は、その各両端で下面に沿って延びるフランジ３２Ｌと３２Ｒとを有した長方形プレート３１に確実に固定されている。フランジ３２Ｌと３２Ｒは、それぞれの溝形態構造部の溝（例：４１Ｒ）内に受領されるように構成されている。フランジ３２Ｒの一端には、溝４１Ｒの内側端部で対応する各溝形態構造部（図示せず）と係合するための前方切欠部４２Ｒが提供されている。肩部３３Ｒは、プレート３１の端から横方向外側に突き出ており、係留手段２９Ｒは、バッグ３０を所定位置で確実に保持するため、肩部３３Ｒ上で係合すべく上方に旋回するように構成されている。係留手段２９Ｒは、好適には肩部３３Ｒに形成された係止部３５Ｒ内で係合する。
【００３６】
バッグ３０の上方端部は、ベビーカー１０の対応立脚部１１Ｌと１１Ｒと着脱式に係合するストラップ３１Ｌと３１Ｒを含んでいる。
【００３７】
長形の柔軟なストラップ３２Ｒは、ベビーカー１０の立脚部１１Ｒの下端と係合すべくアーム体の湾曲部２５Ｒの外側端部から延びている。
【００３８】
利用時にアーム体２０Ｌと２０Ｒは、車輪２７Ｌと２７Ｒでベビーカーを引きずり、バッグ３０を支持する。アーム体２０Ｌと２０Ｒは、ベビーカー１０が地面上で移動するときに軸Ｒ１周囲で上下に旋回できる。ストラップ（例：３２Ｒ）は、アーム体２０Ｌと２０Ｒが旋回する角度を調整するように引張ることができる。
【００３９】
ベビーカーを折畳むには、バッグ３０を取り外すように係留手段２９Ｒを解除すればよい。アーム体２０Ｌと２０Ｒをその後にベビーカー１０の立脚部１１Ｌと１１Ｒに対して上方に旋回させる。アーム体２０Ｌと２０Ｒをそれらの格納位置に保持させるようにクリップまたはその他の固定部材（図示せず）を利用することができる。
【００４０】
バッグ３０は、取り外して荷物の運搬に使用できる。あるいは折畳んで収納することもできる。
【００４１】
図５は、図１から図４に示す装置と原理が類似するベビーカー装着装置の別実施例を示しており、同一部分には同一番号が付されている。本実施例においては、ベビーカー後方で小児が立脚する台車として使用できる別プレート５０が脚部２０Ｌと２０Ｒとの間に提供されている。
【００４２】
図５に示すようにプレート５０を取り外し、脚部２０Ｌと２０Ｒとの間に広がる基部５２を有するバッグ５１と置換できる。本実施例では、プレート５０の基部５２の側端は、周辺フランジ５３を含んでおり、脚部２０Ｌと２０Ｒの対応溝内に着脱可能な状態で受領される両端部を有している。フランジ５３は、フランジ５３内に形成された開口部に係合するバネで付勢されたピンによって各溝内の所定位置に保持されている。フランジ５３との間で着脱させるためにピンを溝から出し入れするようにカムレバー５４が提供されている。
【００４３】
本発明による装置は、簡単で安価であり、荷物や人をベビーカー後方で運搬させ、非使用時にはベビーカーを折畳ませる。
【図１】
2010510112.tif 000003
【図２】
2010510112.tif 000004
【図３】
2010510112.tif 000005
【図４】
2010510112.tif 000006
【図５】
2010510112.tif 000007
【図６】
2010510112.tif 000008
【国際調査報告】
2010510112.tif 000009
2010510112.tif 000010